(57)【特許請求の範囲】
【請求項１】
空気吸込口から空気吹出口に至る送風路が形成され、前記送風路内に設置され前記空気吸込口から吸い込んだ空気を前記空気吹出口から吹き出すファンと、前記送風路内の前記ファンよりも下流側に設置され当該送風路内を通過する送風を加温するヒータと、を備えた髪ケア装置において、
前記送風路の外郭に、前記ファンよりも下流側の前記送風路内に外気を導入する外気導入口を形成し、
前記外気導入口から前記送風路内に導入される外気の通流経路に加湿部を設けたことを特徴とする髪ケア装置。
【請求項２】
前記加湿部を、前記外郭の外側に前記外気導入口に近接させて配置したことを特徴とする請求項１に記載の髪ケア装置。
【請求項３】
外気を前記ヒータよりも下流側に導入するようにしたことを特徴とする請求項１または２に記載の髪ケア装置。
【請求項４】
前記外郭の本体部の前記空気吹出口側に着脱可能に取り付けられて当該外郭の一部を成すアタッチメントノズルを備え、
前記アタッチメントノズルに前記加湿部を設けたことを特徴とする請求項１〜３のうちいずれか一つに記載の髪ケア装置。
【請求項５】
前記アタッチメントノズルに前記外気導入口を形成したことを特徴とする請求項４に記載の髪ケア装置。
【請求項６】
外気の前記送風路内への導入位置と前記ヒータとの間に遮熱部材を設けたことを特徴とする請求項１〜５のうちいずれか１つに記載の髪ケア装置。
【請求項７】
前記加湿部と前記ヒータとの間に遮熱部材を設けたことを特徴とする請求項１〜６のうちいずれか１つに記載の髪ケア装置。
【請求項８】
前記加湿部は給水部を備えることを特徴とする請求項１〜７のうちいずれか一つに記載の髪ケア装置。
【請求項９】
前記給水部は冷却により空気中の水分を結露する水滴生成部であることを特徴とする請求項８に記載の髪ケア装置。
【発明の詳細な説明】
【技術分野】
【０００１】
本発明は、髪ケア装置に関する。
【背景技術】
【０００２】
空気吸込口から吸い込んだ空気を空気吹出口から吹き出す髪ケア装置において、従来、空気吹出口の近傍位置に加湿部を設け、空気吹出口から吹き出される送風を加湿するようにしたものが知られている（特許文献１参照）。
【特許文献１】実開昭６２−１９９００３号公報
【発明の開示】
【発明が解決しようとする課題】
【０００３】
しかしながら、上記従来の髪ケア装置は、加湿部が空気吹出口の近傍に配置されているため、ヒータを作動させて温風を吹き出す場合には、当該温風によって加湿部が乾燥してしまい、加湿送風状態を維持しにくくなるという問題があった。
【０００４】
そこで、本発明は、加湿部が加熱されるのを抑制して加湿送風状態を維持しやすい髪ケア装置を得ることを目的とする。
【課題を解決するための手段】
【０００５】
請求項１の発明にあっては、空気吸込口から空気吹出口に至る送風路が形成され、上記送風路内に設置され上記空気吸込口から吸い込んだ空気を上記空気吹出口から吹き出すファンと、上記送風路内の上記ファンよりも下流側に設置され当該送風路内を通過する送風を加温するヒータと、を備えた髪ケア装置において、上記送風路の外郭に、上記ファンよりも下流側の上記送風路内に外気を導入する外気導入口を形成し、上記外気導入口から上記送風路内に導入される外気の通流経路に加湿部を設けたことを特徴とする。
【０００６】
請求項２の発明にあっては、上記加湿部を、上記外郭の外側に上記外気導入口に近接させて配置したことを特徴とする。
【０００７】
請求項３の発明にあっては、外気を上記ヒータよりも下流側に導入するようにしたことを特徴とする。
【０００８】
請求項４の発明にあっては、上記外郭の本体部の上記空気吹出口側に着脱可能に取り付けられて当該外郭の一部を成すアタッチメントノズルを備え、上記アタッチメントノズルに上記加湿部を設けたことを特徴とする。
【０００９】
請求項５の発明にあっては、上記アタッチメントノズルに上記外気導入口を形成したことを特徴とする。
【００１０】
請求項６の発明にあっては、外気の上記送風路内への導入位置と上記ヒータとの間に遮熱部材を設けたことを特徴とする。
【００１１】
請求項７の発明にあっては、上記加湿部と上記ヒータとの間に遮熱部材を設けたことを特徴とする。
【００１２】
請求項８の発明にあっては、上記加湿部は給水部を備えることを特徴とする。
【００１３】
請求項９の発明にあっては、上記給水部は冷却により空気中の水分を結露する水滴生成部であることを特徴とする。
【発明の効果】
【００１４】
請求項１の発明によれば、ヒータによって加熱された温風より温度の低い外気の通流経路に加湿部を設けたため、加湿部が加熱されるのを抑制して、加湿送風状態を維持しやすくなる。
【００１５】
請求項２の発明によれば、加湿部を外郭の外側に設けたため、ヒータや温風等によって加湿部が加熱されるのをより確実に抑制することができる。また、水の補給など加湿部のメンテナンスをより容易に行えるようになるという利点もある。
【００１６】
請求項３の発明によれば、導入された外気がヒータから離間した位置を通るようになる上、送風路内でヒータや温風等から加熱される区間を短くできるため、外気が加熱され、ひいては加湿部が加熱されるのを抑制できる。
【００１７】
請求項４の発明によれば、加湿部を外郭の本体部に設けた場合に比べて、水の補給などの加湿部のメンテナンスをより容易に行えるようになる。
【００１８】
請求項５の発明によれば、外気導入口を加湿部に近接した位置に設定できる分、外気が外気導入口から加湿部に至る間に温風等によって加熱され、これにより加湿部が加熱されるのを抑制できる。また、加湿が不要なときにはアタッチメントノズルを取り付けないことで、加熱された温風が外気によって冷却されるのを抑制することができる。
【００１９】
請求項６の発明によれば、ヒータや温風等によって外気ひいては加湿部が加熱されるのを遮熱部材によってより確実に抑制することができる。
【００２０】
請求項７の発明によれば、ヒータによって加湿部が加熱されるのを遮熱部材によってより確実に抑制することができる。
【００２１】
請求項８の発明によれば、加湿部に給水部を設けたので、加湿送風状態をより長い時間に亘って維持しやすくなる。
【００２２】
請求項９の発明によれば、空気中から生成した水滴を加湿部に供給できるため、加湿部への水分の補給の手間を省ける。
【発明を実施するための最良の形態】
【００２３】
以下、本発明の好適な実施形態について、図面を参照しながら詳細に説明する。なお、以下の複数の実施形態には、同様の構成要素が含まれている。よって、以下では、同様の構成要素について共通の符号を付与するとともに、重複する説明を省略する。
【００２４】
（第１実施形態）図１は、本発明の第１実施形態にかかる髪ケア装置の断面図である。本実施形態にかかる髪ケア装置としてのヘアードライヤー１では、一端部（図中右方）に空気吸込口２ａと、他端部（図中左方）に空気吹出口２ｂと、を設けた送風路２が形成されている。送風路２の外郭３は略筒状に形成され、送風路２内にはファン４およびヒータ５を設置してある。
【００２５】
ファン４は、ステー６を介して外郭３の内側に取り付けたモータ７の駆動軸７Ｓに取り付けてある。モータ７の駆動によってファン４が回転することにより、空気吸込口２ａから吸い込んだ空気Ａを空気吹出口２ｂから吹き出すようになっている。なお、本実施形態ではファン４を軸流ファンとして構成した場合を開示したが、もちろん、これに限ることなくシロッコファンや遠心ファン等の送風可能なファン形状であればよい。
【００２６】
ヒータ５は、雲母等の耐熱薄板５ａを十字状に組み付けて、その外周にニクロム線等の電気抵抗発熱線５ｂを巻回して構成されている。
【００２７】
送風路２内で、ファン４は送風Ｗの上流側に配置され、ヒータ５はファン４より下流側に配置されている。ヒータ５を作動させた状態では、ファン４で発生した送風Ｗがヒータ５で加熱され、空気吹出口２ｂから温風が吹き出される。
【００２８】
ここで、本実施形態では、送風路２の外郭３に、その外郭３の外方からファン４よりも下流側の送風路２内に外気ＡＯを導入する外気導入口８を形成するとともに、当該外気ＡＯの通流経路９（図中破線で示す）に加湿部１０を設けてある。
【００２９】
外気導入口８は、長さＬをもって送風路２の外郭３の内側（送風路２）と外側とを連通している。送風路２内にファン４によって送風Ｗが生じると、流速差に起因して外郭３の内側（送風路２側）の圧力が外郭３の外側の圧力よりも低くなるため、外気が外気導入口８を経由して送風路２内に導入される。
【００３０】
加湿部１０は、保水性を有し、水分を含浸した状態で維持するものであり、例えばスポンジやフェルト等の多孔質部材として構成することができる。また、ヒータ５の熱に対する耐久性を高めるため、発泡金属等を用いてもよい。
【００３１】
そして、本実施形態では、加湿部１０を、外気導入口８の出口８ａよりも下流側となる近傍の外郭３内面に取り付け、外気導入口８から導入した外気ＡＯが直接当たるようにしてある。もちろん、加湿が必要な使用時には、予め加湿部１０に水分を含浸させておく。
【００３２】
以上の本実施形態にかかるヘアードライヤー１によれば、送風路２の外郭３に、ファン４よりも下流側の送風路２内に外気ＡＯを導入する外気導入口８を形成し、外気導入口８から送風路２内に導入される外気ＡＯの通流経路９に加湿部１０を設けた。すなわち、ヒータ５によって加熱された温風より温度の低い外気ＡＯの通流経路９に加湿部１０を設けた分、加湿部１０が加熱されるのを抑制して、加湿送風状態を維持しやすくなる。
【００３３】
（第２実施形態）図２は、本発明の第２実施形態にかかる髪ケア装置の断面図である。この図２に示すように、本実施形態にかかる髪ケア装置としてのヘアードライヤー１Ａは、基本的に第１実施形態のヘアードライヤー１と同様に、空気吸込口２ａから空気吹出口２ｂに至る送風路２の上流側にファン４を設置し、下流側にヒータ５を設置してある。そして、送風路２の外郭３に、外気ＡＯを導入する外気導入口８を形成してある。
【００３４】
ただし、本実施形態では、加湿部１０を、外郭３の外側に外気導入口８に近接させて配置してある。かかる構成において、外気導入口８から送風路２内に導入される外気ＡＯは、外気導入口８の入口８ｂ近傍を通る通流経路９（図中破線で示す）を通過することになる。すなわち、この場合も、加湿部１０は、外気ＡＯの通流経路９に配置されていることになる。
【００３５】
したがって、本実施形態のヘアードライヤー１Ａによっても、上記第１実施形態と同様、ヒータ５によって加熱された温風より温度の低い外気ＡＯの通流経路９に加湿部１０を設けた分、加湿部１０が加熱されるのを抑制して、加湿送風状態を維持しやすくなる。
【００３６】
そして、かかる構成では、加湿部１０が、ヒータ５に対して、外郭３を隔てた外側に位置することになるため、加湿部１０をより低温状態に維持しやすくなり、加湿部１０が加熱されるのをより確実に抑制することができる。
【００３７】
さらに、本実施形態によれば、加湿部１０が外郭３の外側に設置されるため、水の補給等のメンテナンスをより容易に行えるようになる。
【００３８】
（第３実施形態）図３は、本発明の第３実施形態にかかる髪ケア装置の断面図である。この図３に示すように、本実施形態にかかる髪ケア装置としてのヘアードライヤー１Ｂは、基本的に第１実施形態のヘアードライヤー１と同様に、空気吸込口２ａから空気吹出口２ｂに至る送風路２の上流側にファン４を設置し、下流側にヒータ５を設置してある。そして、送風路２の外郭３に、外気ＡＯを導入する外気導入口８を形成してある。
【００３９】
ただし、本実施形態では、外気導入口８をヒータ５よりも下流側に設けることで、外気ＡＯをヒータ５よりも下流側に導入するようにしてある。そして、加湿部１０を、空気吹出口２ｂに設けてある。もちろん、加湿部１０は、外気ＡＯの通流経路９に配置してある。
【００４０】
したがって、本実施形態のヘアードライヤー１Ｂによっても、上記第１実施形態と同様、ヒータ５によって加熱された温風より温度の低い外気ＡＯの通流経路９に加湿部１０を設けた分、加湿部１０が加熱されるのを抑制して、加湿送風状態を維持しやすくなる。
【００４１】
さらに、本実施形態によれば、外気ＡＯをヒータ５よりも下流側に導入するようにしたため、導入された外気ＡＯがヒータ５から離間した位置を通るようになるとともに、送風路２内でヒータ５や温風（送風Ｗ）等から加熱される区間を短くできる分、外気ＡＯが加熱されひいては加湿部１０が加熱されるのをより確実に抑制できる。
【００４２】
（第４実施形態）図４、図５は本発明の第４実施形態を示している。図４は、髪ケア装置の断面図、図５は、図４中Ｂ部の拡大図である。
【００４３】
図４に示すように、本実施形態にかかる髪ケア装置としてのヘアードライヤー１Ｃは、基本的に第１実施形態のヘアードライヤー１と同様に、空気吸込口２ａから空気吹出口２ｂに至る送風路２の上流側にファン４を設置し、下流側にヒータ５を設置してある。
【００４４】
ただし、本実施形態では、外郭３の本体部３Ａの下流側端部（すなわち空気吹出口２ｂ側の端部）に、アタッチメントノズル１１を着脱可能に取り付けられるようになっており、このアタッチメントノズル１１に、その内外を連通する外気導入口８が形成され、外気導入口８を通過する外気ＡＯの通流経路９に加湿部１０が設けてある。
【００４５】
すなわち、図５に示すように、アタッチメントノズル１１の取付側端部の内周には、先端部に断面半円状の環状縮径部１１ａを形成してあるとともに、外郭３の本体部３Ａの空気吹出口２ｂ側の先端部外周には環状縮径部１１ａを嵌合する環状凹部３ａを形成してある。
【００４６】
そして、アタッチメントノズル１１の取り付け時には、環状縮径部１１ａを環状凹部３ａに押し込むことにより、環状縮径部１１ａが変形を伴いつつ環状凹部３ａに嵌着される。かくして本体部３Ａに取り付けられたアタッチメントノズル１１が、当該本体部３Ａとともに外郭３の一部を成すことは、図４からも容易に理解できよう。
【００４７】
逆にアタッチメントノズル１１の取り外し時には、アタッチメントノズル１１を手指で多少の力を加えながら引っ張ることにより、環状縮径部１１ａが環状凹部３ａを乗り越えて簡単に取り外すことができる。もちろん、アタッチメントノズル１１の着脱可能な取付構造はこれには限定されない。
【００４８】
また、本実施形態では外気導入口８をアタッチメントノズル１１に形成してある。この場合にあっても、外気導入口８は送風Ｗの上流側に向かって一定の導入長さＬをもって形成してあり、アタッチメントノズル１１内を通過する送風Ｗによって外気導入口８内に負圧が発生し、その負圧によって外気ＡＯがアタッチメントノズル１１を含めた送風路２内に吸引される。そして、加湿部１０を、外気導入口８の出口８ａの下流側となるアタッチメントノズル１１の先端部内側に設けてある。
【００４９】
したがって、本実施形態のヘアードライヤー１Ｃによっても、上記第１実施形態と同様、ヒータ５によって加熱された温風より温度の低い外気ＡＯの通流経路９に加湿部１０を設けた分、加湿部１０が加熱されるのを抑制して、加湿送風状態を維持しやすくなる。
【００５０】
そして、本実施形態では、加湿部１０を外郭３の本体部３Ａに設けた場合に比べて、水の補給などの加湿部１０のメンテナンスをより容易に行えるようになる。さらに、外気導入口８もアタッチメントノズル１１に設けて、加湿部１０に近接配置したため、外気ＡＯが外気導入口８から加湿部１０に至るまでに温風（送風Ｗ）等によって加熱され、これにより加湿部１０が加熱されるのを抑制できる。また、加湿が不要なときにはアタッチメントノズル１１を本体部３Ａに取り付けないことで、加熱された温風（送風Ｗ）が外気によって冷却されるのを抑制することができる。
【００５１】
また、外気導入口８と加湿部１０からなる加湿機構を、外郭３の本体部３Ａに着脱可能に取り付けるアタッチメントノズル１１に設けたため、加湿機能の無いヘアードライヤーに当該アタッチメントノズル１１を取り付けるだけで、簡単に加湿機能を追加できるという利点もある。
【００５２】
なお、加湿部１０は、アタッチメントノズル１１の外面に外気導入口８に近接させて設けてもよい。
【００５３】
（第５実施形態）図６は、本発明の第５実施形態にかかる髪ケア装置の断面図である。この図６に示すように、本実施形態にかかる髪ケア装置としてのヘアードライヤー１Ｄは、基本的に第１実施形態のヘアードライヤー１と同様に、空気吸込口２ａから空気吹出口２ｂに至る送風路２の上流側にファン４を設置し、下流側にヒータ５を設置してある。そして、送風路２の外郭３に、外気ＡＯを導入する外気導入口８を形成してある。
【００５４】
ただし、本実施形態では、外気ＡＯの送風路２内への導入位置Ｓとヒータ５との間に遮熱部材１２を設けてある。この遮熱部材１２は、平板状や帯状としてもよいし、外郭３の円弧に沿ってアーチ状の板材として形成してもよい。また、遮熱部材１２としては、例えばマイカ板等の断熱性を有する部材を用いることができる。
【００５５】
さらに、本実施形態では、この遮熱部材１２は、ヒータ５と加湿部１０との間にも位置して、加湿部１０がヒータ５の輻射熱によって加熱されるのを遮っている。
【００５６】
以上の本実施形態によれば、遮熱部材１２によって、ヒータ５や温風（送風Ｗ）等によって外気ＡＯならびに加湿部１０が加熱されるのを、より確実に抑制することができる。
【００５７】
（第６実施形態）図７は、本発明の第６実施形態にかかる髪ケア装置の断面図である。この図７に示すように、本実施形態にかかるヘアードライヤー１Ｅは、基本的に第１実施形態のヘアードライヤー１と同様に、空気吸込口２ａから空気吹出口２ｂに至る送風路２の上流側にファン４を設置し、下流側にヒータ５を設置してある。そして、送風路２の外郭３に、外気ＡＯを導入する外気導入口８を形成してある。
【００５８】
ただし、本実施形態では、加湿部１０に給水部としてのタンク１３を設けてある。すなわち、加湿部１０を外郭３の内面に配置する一方、その加湿部１０に対応する外郭３の外側にタンク１３を取り付け、タンク１３と加湿部１０とを連通路１３ａによって連通してある。
【００５９】
したがって、本実施形態のヘアードライヤー１Ｅによれば、加湿部１０にタンク１３を設けたので、加湿送風状態をより長い時間に亘って維持しやすくなる。
【００６０】
（第７実施形態）図８は、本発明の第７実施形態にかかる髪ケア装置の断面図である。この図８に示すように、本実施形態にかかる髪ケア装置としてのヘアードライヤー１Ｆは、基本的に第１実施形態のヘアードライヤー１と同様に、空気吸込口２ａから空気吹出口２ｂに至る送風路２の上流側にファン４を設置し、下流側にヒータ５を設置してある。そして、送風路２の外郭３に、外気ＡＯを導入する外気導入口８を形成してある。
【００６１】
ただし、本実施形態では、加湿部１０の給水部として、冷却により空気中の水分を結露するペルチェユニット１４（水滴生成部）を設けてある。
【００６２】
このペルチェユニット１４は、熱電素子１４ａを挟んで一対の電極板１４ｂ，１４ｃを配置して概ね構成してあり、両電極板１４ｂ，１４ｃ間に通電することにより、一方の電極板１４ｂが冷却されるとともに、他方の電極板１４ｃが加熱され、その電極板１４ｃの熱を放熱フィン１４ｄによって逃がすようになっている。このとき、冷却側の電極板１４ｂに空気中の水分が結露され、この結露した水分を加湿部１０に給水するようになっている。
【００６３】
また、本実施形態では、ペルチェユニット１４の配置部分に外気導入通路１５を設け、その外気導入通路１５内に放熱フィン１４ｄを配置して、ペルチェユニット１４の冷却効果を高めるようになっている。
【００６４】
したがって、本実施形態にかかるヘアードライヤー１Ｆによれば、空気中から生成した水滴を加湿部１０に供給できるため、加湿部１０への水分の補給の手間を省ける。
【００６５】
なお、本実施形態では、ペルチェユニット１４で生成した水分を加湿部１０に供給する構成を示したが、加湿部１０を設けることなく、ペルチェユニット１４で生成した水分を直接気化させて、その気化水分を送風Ｗに供給するようにしてもよい。
【００６６】
（第８実施形態）図９は、本発明の第８実施形態にかかる髪ケア装置の断面図である。この図９に示すように、本実施形態にかかる髪ケア装置としてのヘアーアイロン１００は、グリップ１０１から突出した巻付け胴部１０２と、この巻付け胴部１０２の基部に回動支持部１０３を介して回動可能かつ閉じ方向に付勢して連結した押え板１０４と、を備えて概ね構成してある。１０４Ｌは押え板１０４を開く際に握持するレバーである。
【００６７】
巻付け胴部１０２は中空状に形成されて、その内部にヒータ１０５を設置してあり、巻付け胴部１０２と押え板１０４との間に髪を挟んで、それらの外側に髪を巻き付けて加熱することにより、髪にカールを付けることができるようになっている。
【００６８】
ここで、本実施形態では、ヘアーアイロン１００に、第１実施形態にかかるヘアードライヤー１で用いたものと同様の加湿機構を装備してある。
【００６９】
すなわち、グリップ１０１内を空洞状に形成して巻付け胴部１０２の中空部と連通させて送風路１０６を形成し、グリップ１０１の基部に空気吸込口１０６ａを設けるとともに、巻付け胴部１０２および押え板１０４に空気吹出口１０６ｂを設けてある。
【００７０】
そして、グリップ１０１内にファン１０７を設置するとともに、グリップ１０１の先端部寄りの外郭１０１ａに外気導入口１０８を設け、その外気導入口１０８の通流経路１０９に加湿部１１０を配置してある。なお、１１１はファン１０７を駆動するモータである。
【００７１】
以上の本実施形態にかかるヘアーアイロン１００によれば、ファン１０７によって送風路１０６内に発生する送風Ｗで加湿部１１０の水分を気化し、その気化水分により空気吹出口１０６ｂから吹き出す送風Ｗを加湿することができる。このとき、外気導入口１０８から送風路１０６内に導入される外気ＡＯで加湿部１１０に当たる送風Ｗの温度を低下させることができるため、第１実施形態に示したヘアードライヤー１と同様に、加湿部１０が加熱されるのを抑制して、加湿送風状態を維持しやすくなる。
【００７２】
なお、本実施形態では、第１実施形態にかかるヘアードライヤー１の加湿機構を装備したヘアーアイロン１００を例示したが、第２〜第７実施形態のヘアードライヤーの加湿機構も同様に装備できることは言うまでもない。
【００７３】
以上、本発明の好適な実施形態について説明したが、本発明は上記実施形態には限定されず、種々の変形が可能である。例えば、本発明は、ヘアードライヤーやヘアーアイロン以外にも、ヘアーブラシ等の髪ケア装置としても実施することができる。
【図面の簡単な説明】
【００７４】
【図１】本発明の第１実施形態にかかる髪ケア装置の断面図である。
【図２】本発明の第２実施形態にかかる髪ケア装置の断面図である。
【図３】本発明の第３実施形態にかかる髪ケア装置の断面図である。
【図４】本発明の第４実施形態にかかる髪ケア装置の断面図である。
【図５】図４中Ｂ部の拡大図である。
【図６】本発明の第５実施形態にかかる髪ケア装置の断面図である。
【図７】本発明の第６実施形態にかかる髪ケア装置の断面図である。
【図８】本発明の第７実施形態にかかる髪ケア装置の断面図である。
【図９】本発明の第８実施形態にかかる髪ケア装置の断面図である。
【符号の説明】
【００７５】
１，１Ａ〜１Ｆ  ヘアードライヤー（髪ケア装置）
２  送風路
２ａ  空気吸込口
２ｂ  空気吹出口
３  外郭
３Ａ  本体部
４  ファン
５  ヒータ
８  外気導入口
９  通流経路
１０  加湿部
１１  アタッチメントノズル（外郭）
１２  遮熱部材
１３  タンク（給水部）
１４  ペルチェユニット（給水部、水滴生成部）
１００  ヘアーアイロン（髪ケア装置）
１０１ａ  外郭
１０５  ヒータ
１０６  送風路
１０６ａ  空気吸込口
１０６ｂ  空気吹出口
１０７  ファン
１０８  外気導入口
１０９  通流経路
１１０  加湿部
ＡＯ  外気
Ｓ  導入位置
Ｗ  送風
【図１】
0004775359.tif 000002
【図２】
0004775359.tif 000003
【図３】
0004775359.tif 000004
【図４】
0004775359.tif 000005
【図５】
0004775359.tif 000006
【図６】
0004775359.tif 000007
【図７】
0004775359.tif 000008
【図８】
0004775359.tif 000009
【図９】
0004775359.tif 000010